(57)【要約】      （修正有）【課題】中身が重くても蓋の側縁とパッケージ本体との間に隙間ができない容器を提供する。【解決手段】上部が開口した筒状パッケージ本体１と、上記パッケージ本体１の開口の一辺にその基部を連結した、上記開口を開閉自在に塞ぐ蓋６と、この蓋６の略中央に設けた吊下片４と、上記蓋６の両側縁に夫々設けた、折れ曲げ可能な袖片１３と、上記パッケージ本体１に設けた孔部１４と、上記孔部１４に挿入されるよう、上記袖部１３に設けた舌片９とよりなることを特徴とする。【選択図】図１
2005053579.tif 000002
【特許請求の範囲】
【請求項１】
上部が開口した筒状パッケージ本体と、上記パッケージ本体の開口の一辺にその基部を連結した、上記開口を開閉自在に塞ぐ蓋と、この蓋の略中央に設けた吊下片と、上記蓋の両側縁に夫々設けた、折れ曲げ可能な袖片と、上記パッケージ本体に設けた孔部と、上記孔部に挿入されるよう、上記袖部に設けた舌片とよりなることを特徴とする包装容器。
【請求項２】
上記袖片が上記蓋の側縁に沿った底辺を有する直角三角形状であり、上記舌片が上記袖部の底辺に対し直角及び斜めとなる縁に夫々形成されており、上記スリットが、上記蓋を閉じたとき上記舌片に対応するようになる位置で上記パッケージ本体に形成されていることを特徴とする請求項１記載の包装容器。
【請求項３】
上部が開口した筒状パッケージ本体と、上記パッケージ本体の開口の一辺にその基部を連結した、上記開口を開閉自在に塞ぐ内蓋と、この内蓋に設けた吊下片と、上記パッケージ本体の開口の他辺にその基部を連結した上記開口の全部を開閉自在に塞ぐ外蓋と、この外蓋の略中央に設けた、上記吊下片の貫通用のスリットと、上記外蓋の両側縁に夫々設けた、折れ曲げ可能な袖片と、上記パッケージ本体に設けた孔部と、上記孔部に挿入されるよう、上記袖部に設けた舌片とよりなることを特徴とする包装容器。
【請求項４】
上記袖片が上記外蓋の側縁に沿った底辺を有する直角三角形状であり、上記舌片が上記袖部の底辺に対し直角及び斜めとなる縁に夫々形成されており、上記スリットが、上記外蓋を閉じたとき上記舌片に対応するようになる位置で上記パッケージ本体に形成されていることを特徴とする請求項３記載の包装容器。
【請求項５】
上部が開口した筒状パッケージ本体と、上記パッケージ本体の開口の一辺にその基部を連結した、上記開口を開閉自在に塞ぐ蓋と、この蓋の略中央に設けた吊下片と、上記蓋の両側縁に夫々設けた、折れ曲げ可能な袖片と、上記蓋に設けた孔部と、上記孔部に挿入される、上記パッケージ本体に設けた舌片とよりなることを特徴とする包装容器。
【請求項６】
上部が開口した筒状パッケージ本体と、上記パッケージ本体の開口の一辺にその基部を連結した、上記開口を開閉自在に塞ぐ内蓋と、この内蓋に設けた吊下片と、上記パッケージ本体の開口の他辺にその基部を連結した上記開口の全部を開閉自在に塞ぐ蓋と、この外蓋の略中央に設けた、上記吊下片の貫通用のスリットと、上記外蓋の両側縁に夫々設けた、折れ曲げ可能な袖片と、上記外蓋に設けた孔部と、上記孔部に挿入される、上記パッケージ本体に設けた舌片とよりなることを特徴とする包装容器。
【発明の詳細な説明】
【技術分野】
【０００１】
本発明は包装容器、特に商品を吊下げて展示できる包装容器に関するものである。
【背景技術】
【０００２】
図７は従来の例えば特許文献１に記載された包装容器の一部を展開した背面からみた斜視図を示し、１は紙やプラスチック製の筒状パッケージ本体、２は上記パッケージ本体１の上部開口、３は上記パッケージ本体１の背面１ａの上縁にその基部を取り付けた、上記上部開口２の略半分を開閉自在に塞ぐ大きさ，形状の内蓋、４は上記内蓋３の遊端に取り付けた、直立せしめた吊下片、５は上記吊下片４の略中央に設けた包装容器吊下用の孔、６は上記パッケージ本体１の表面１ｂの上縁にその基部を取り付けた、上記内蓋３の上にかぶさり上記上部開口２の全面を開閉自在に塞ぐ大きさ，形状の外蓋、７は上記外蓋６に設けた、上記吊下片４の貫通用のスリット、８は上記パッケージ本体１の背面１ａの上部に設けたスリット、９は上記スリット８に挿入されるよう上記外蓋６の遊端に設けた舌片であり、上記スリット８に上記舌片９を挿入せしめたとき、上記外蓋６が開かないようになる。
【０００３】
上記従来の包装容器においては、図８に示すように、包装容器吊下用フック１０を上記吊下用の孔５に挿通せしめれば、包装容器を吊り下げることができる。なお、１１は商品表示用の窓である。
【０００４】
また、上記吊下片４は上記包装容器上面の中央部に設けてあるので、傾くこと無くバランスよく吊り下げることができ、包装容器の正面が下を向き中の商品が見えなくなるようなことがない。
【特許文献１】実用新案登録第３０８７２８１号（第２頁、図１）。
【発明の開示】
【発明が解決しようとする課題】
【０００５】
然しながら、上記従来の包装容器においては包装容器の中身が重い場合、図９に示すように、上記外蓋６が吊下片４によって持ち上げられ、上記外蓋６の側縁１２と上記パッケージ本体１の側面１ｃの上縁との間に隙間が生じてしまい、上記外蓋６の側縁１２とパッケージ本体１の側面１ｃの上縁とをテープなどで固定する必要がある欠点があった。
【０００６】
本発明は上記のような欠点を除くようにしたものである。
【課題を解決するための手段】
【０００７】
本発明の包装容器は、上部が開口した筒状パッケージ本体と、上記パッケージ本体の開口の一辺にその基部を連結した、上記開口を開閉自在に塞ぐ蓋と、この蓋の略中央に設けた吊下片と、上記蓋の両側縁に夫々設けた、折れ曲げ可能な袖片と、上記パッケージ本体に設けた孔部と、上記孔部に挿入されるよう、上記袖部に設けた舌片とよりなることを特徴とする。
【０００８】
また、本発明の包装容器は、上部が開口した筒状パッケージ本体と、上記パッケージ本体の開口の一辺にその基部を連結した、上記開口を開閉自在に塞ぐ内蓋と、この内蓋に設けた吊下片と、上記パッケージ本体の開口の他辺にその基部を連結した上記開口の全部を開閉自在に塞ぐ外蓋と、この外蓋の略中央に設けた、上記吊下片の貫通用のスリットと、上記外蓋の両側縁に夫々設けた、折れ曲げ可能な袖片と、上記パッケージ本体に設けた孔部と、上記孔部に挿入されるよう、上記袖部に設けた舌片とよりなることを特徴とする。
【０００９】
また、本発明の包装容器は、上記袖片が、上記蓋または外蓋の片に沿った底辺を有する直角三角形状であり、上記舌片が上記袖部の底辺に対し直角及び斜めとなる縁に夫々形成されており、上記スリットが、上記蓋を閉じたとき上記舌片に対応するようになる位置で上記パッケージ本体に形成されていることを特徴とする。
【００１０】
また、本発明の包装容器は、上部が開口した筒状パッケージ本体と、上記パッケージ本体の開口の一辺にその基部を連結した、上記開口を開閉自在に塞ぐ蓋と、この蓋の略中央に設けた吊下片と、上記蓋の両側縁に夫々設けた、折れ曲げ可能な袖片と、上記蓋に設けた孔部と、上記孔部に挿入される、上記パッケージ本体に設けた舌片とよりなることを特徴とする。
【００１１】
また、本発明の包装容器は、上部が開口した筒状パッケージ本体と、上記パッケージ本体の開口の一辺にその基部を連結した、上記開口を開閉自在に塞ぐ内蓋と、この内蓋に設けた吊下片と、上記パッケージ本体の開口の他辺にその基部を連結した上記開口の全部を開閉自在に塞ぐ蓋と、この外蓋の略中央に設けた、上記吊下片の貫通用のスリットと、上記外蓋の両側縁に夫々設けた、折れ曲げ可能な袖片と、上記外蓋に設けた孔部と、上記孔部に挿入される、上記パッケージ本体に設けた舌片とよりなることを特徴とする。
【発明の効果】
【００１２】
本発明の包装容器によれば、外蓋６とパッケージ本体１の側面１ｃの上縁との間に隙間ができないという大きな利益がある。
【実施例１】
【００１３】
本発明の第１の実施例の包装容器においては図１及び図２に示すように、上記外蓋６の両側縁１２，１２に側方に延びる、９０度折れ曲げ可能な直角三角形の袖片１３，１３を設け、上記パッケージ本体１の両側面１ｃの背面側の稜部１ｄ，１ｄに夫々スリット１４，１４を設け、上記外蓋６の側縁１２に対し直角となる上記各袖片１３の縁に、上記スリット１４，１４に挿入される舌片１５を設ける。
【００１４】
この第１の実施例によれば、外蓋６の両側縁１２に袖片１３を設けたので、外蓋６が補強され吊下用フック１０により吊り下げても、外蓋６が曲がりにくくなり、パッケージ本体１の側面１ｃの上縁と外蓋６との間に隙間が生じないようになる。
【００１５】
また、上記外蓋６が袖片１３を介してパッケージ本体１に固定されるので、パッケージ本体１の側面１ａの上縁と外蓋６との間に隙間が生じないようになる。また、これにより上記外蓋６の舌片９とパッケージ本体１のスリット８を省略することができる。
【実施例２】
【００１６】
本発明の第２の実施例の包装容器においては図３及び図４に示すように、上記外蓋６の側縁１２に対し斜めとなる上記直角三角形の袖片１３，１３の縁に舌片２０を夫々設け、上記外蓋６を閉じたとき上記舌片２０に対応するようになる位置で上記パッケージ本体１の両側面１ｃに上記舌片２０が挿入されるスリット１９，１９を形成する。
【００１７】
この第２の実施例によれば、パッケージ本体１の側面１ｃと上記袖片１３との間に隙間が生じないようになり、従って、上記袖片１３，１３が折りの反力により膨らんで袖片１３，１３とパッケージ本体１の側面１ｃとの間に隙間を生じ外観を悪くすることを未然に防止することができる。
【実施例３】
【００１８】
本発明の第３の実施例の包装容器においては図５及び図６に示すように、外蓋６の両側縁１２，１２に上記パッケージ本体１側に９０度折れ曲がった袖片１３，１３を三角形ではなく矩形とし、外蓋６の側縁１２に接する各袖片１３の基部に上記外蓋６の側縁１２に沿ったスリット１６を夫々設け、また、上記パッケージ本体１の両側面１ｃの上部に夫々その先端が折れ曲がり上記スリット１６に挿入されるリブ１７をその先端に有する舌片１８を切り込み形成せしめる。
【００１９】
この第３の実施例においても、外蓋６の両側縁１２に袖片１３を設けたので、外蓋６が曲がりにくくなり、パッケージ本体１の側面１ｃの上縁と外蓋６との間に隙間が生じないようになる。
【００２０】
なお、上記スリット１６及び舌片１８を設けたので、上記外蓋６の舌片９とパッケージ本体１のスリット８を省略することもできる。
【図面の簡単な説明】
【００２１】
【図１】本発明の第１の実施例の背面からみた包装容器の一部を展開した斜視図である。
【図２】本発明の第１の実施例の背面からみた包装容器の斜視図である。
【図３】本発明の第２の実施例の背面からみた包装容器の一部を展開した斜視図である。
【図４】本発明の第２の実施例の背面からみた包装容器の斜視図である。
【図５】本発明の第３の実施例の背面からみた包装容器の一部を展開した斜視図である。
【図６】本発明の第３の実施例の背面からみた包装容器の斜視図である。
【図７】従来の背面からみた包装容器の一部を展開した斜視図である。
【図８】従来の包装容器の使用状態を示す斜視図である。
【図９】従来の包装容器の使用状態を示す斜視図である。
【符号の説明】
【００２２】
１    筒状パッケージ本体
１ａ  背面
１ｂ  表面
１ｃ  側面
１ｄ  稜部
２    上部開口
３    内蓋
４    吊下片
５    孔
６    外蓋
７    貫通用スリット
８    スリット
９    舌片
１０    フック
１１    窓
１２    側縁
１３    袖片
１４    スリット
１５    舌片
１６    スリット
１７    リブ
１８    舌片
１９    スリット
２０    舌片
【図１】
2005053579.tif 000003
【図２】
2005053579.tif 000004
【図３】
2005053579.tif 000005
【図４】
2005053579.tif 000006
【図５】
2005053579.tif 000007
【図６】
2005053579.tif 000008
【図７】
2005053579.tif 000009
【図８】
2005053579.tif 000010
【図９】
2005053579.tif 000011